(57)【要約】      （修正有）【課題】配線接続時に極性を間違えても、正しく機能できるようにする。【解決手段】永久磁石８と、ボビン５に電線を巻付けしたコイル部７と、前記ボビン５の軸部５ａ内に挿入され、前記コイル部の電流により軸心が往復移動するアマチュア１３と、有底筒状をなし、前記永久磁石８と前記コイル部７と前記アマチュア１３を収容するケース３と、を備える保持型ソレノイドにおいて、少なくとも無極性化回路１０を実装した回路基板９を有し、前記回路基板９は、前記ケース３内に収容される。【選択図】図３
2011211006.tif 000002
【特許請求の範囲】
【請求項１】
永久磁石と、ボビンに電線を巻付けしたコイル部と、前記ボビンの軸部内に挿入され、前記コイル部の電流により軸心が往復移動するアマチュアと、有底筒状をなし、前記永久磁石と前記コイル部と前記アマチュアを収容するケースと、を備える保持型ソレノイドにおいて、
少なくとも無極性化回路を実装した回路基板を有し、
前記回路基板は、前記ケース内に収容されることを特徴とする保持型ソレノイド。
【請求項２】
前記回路基板は、前記コイル部に設けられ、前記回路基板の上下端のみを挟持する、保持溝に取付けられることを特徴とする請求項１記載の保持型ソレノイド。
【請求項３】
前記永久磁石は、ネオジム磁石、アルニコ磁石、又は、サマリウムコバルト磁石であることを特徴とする請求項１、又は、２記載の保持型ソレノイド。
【発明の詳細な説明】
【技術分野】
【０００１】
この発明は、防火扉の自動閉鎖装置などに用いられる保持型ソレノイドに関するものである。
【背景技術】
【０００２】
例えば、防火扉の自動閉鎖装置として、自己保持型ソレノイドが用いられている。このソレノイドは、ケースと、ソレノイドの駆動部分である可動鉄心と、樹脂製のボビン、銅線などで構成され、電流を流すことにより磁界を発生するコイル部と、前記可動鉄心を引き寄せる永久磁石と、を備えている。
【先行技術文献】
【特許文献】
【０００３】
【特許文献１】特開２００３−１７２４７４号公報
【発明の概要】
【発明が解決しようとする課題】
【０００４】
従来例の動作確認ができる保持型ソレノイドは、保持用の永久磁石が用いられているために、有極性である。そのため、コイルをリード線に配線接続する際に、極性を間違えて接続すると、正しく機能しなくなり、例えば、その保持、又は、解放が設計通り行われなくなる。
【０００５】
この発明は、上記事情に鑑み、配線接続時に極性を間違えても、正しく機能できるようにすることを目的とする。
【課題を解決するための手段】
【０００６】
この発明は、永久磁石と、ボビンに電線を巻付けしたコイル部と、前記ボビンの軸部内に挿入され、前記コイル部の電流により軸心が往復移動するアマチュアと、有底筒状をなし、前記永久磁石と前記コイル部と前記アマチュアを収容するケースと、を備える保持型ソレノイドにおいて、少なくとも無極性化回路を実装した回路基板を有し、前記回路基板は、前記ケース内に収容されることを特徴とする。
【０００７】
この発明の前記回路基板は、前記コイル部に設けられ前記回路基板の上下端のみ挟持する、保持溝に取付けられることを特徴とする。この発明の前記永久磁石は、ネオジム磁石、アルニコ磁石、又は、サマリウムコバルト磁石であることを特徴とする。
【発明の効果】
【０００８】
この発明は、前記ケース内に無極性化回路を実装した回路基板を収容しているので、コイル部のコイルとリード線の配線接続時に極性を間違えてもコイル部を正しく機能させることができる。
また、コイル部に回路基板を挟持する保持溝を設けているので、回路基板の着脱が容易であるとともに、ケースと回路基板の絶縁距離を十分確保できる。
【図面の簡単な説明】
【０００９】
【図１】本発明の第１実施形態を示す図で、アマチュアが突出状態に吸着保持されている状態の縦断面図である。
【図２】前記アマチュアが非突出状態に吸着解放されている状態の縦断面図である。
【図３】上板を外した状態における側面図である。
【図４】分解図である。
【発明を実施するための形態】
【００１０】
本発明の第１の実施形態を図１〜図４により説明する。防火扉の自動閉鎖装置として、自己保持型ソレノイド１が用いられている。このソレノイド１は、ケース３を備えているが、該ケース３は、略有底筒状に形成され、その底部中央には、軸穴(図示省略)が設けられている。このケース３として、例えば、一辺の長さが２０ｍｍ程度の略直方体形状の箱体が用いられる。
【００１１】
前記軸穴には、固定極４が嵌着されている。この固定極４は円板状に形成され、その中央には、アマチュア１３の軸心１３ａを通す貫通穴（図示省略）が設けられている。ボビン５は、軸部５aと一対の側壁５ｂとを備えているが、前記側壁５ｂは、前記ケース３に挿入可能な大きさに形成されている。前記軸部５ａの長さは、ケース３の長さよりも長く形成されていてアマチュア１３をガードしている。又、組み立てた状態では、前記固定極４はボビン５の軸部５ａの内側の穴に収容される。
【００１２】
ケース３内には、前記ボビン５に電線（「コイル」ともいう）７ａを巻付けしたコイル部７が設けられている。このコイル部７は、解放時に永久磁石８とアマチュア１３との吸着力が弱くなるように電流を流す。
【００１３】
前記コイル部７には、上下一対の保持溝６ａ、６ｂが設けられている。この保持溝６ａ、６ｂに回路基板９の電気部品が実装されていない上下端が横から挿入され、前記回路基板９が保持される。
【００１４】
この回路基板９には、前記電気部品、信号処理回路、無極性化回路１０等が設けられているが、前記無極性化回路１０は一般的に使用されているもの、例えば、４つのダイオードを使うダイオードブリッジを利用する回路、が用いられる。
【００１５】
前記ケース３内には、コイル部７のコイル７ａに続いて永久磁石８、上板１１が設けられている。前記永久磁石８は、保持時にアマチュア１３との所定の吸着力を有し、開放時にアマチュアとの吸着力を弱める。この永久磁石として、強磁性材料、例えば、ネオジム磁石、アルニコ磁石、サマリウムコバルト磁石等が用いられる。この強磁性材料を用いることにより磁石を小さくすることができるので、小型化を図ることができる。
【００１６】
前記上板１１は、蓋部であり、前記ケース３の端部側の開口部に固定されている。該上板１１の中央部には、アマチュア１３を貫通させる貫通穴（図示省略）が設けられている。
【００１７】
アマチュア１３は、ボビン５の軸部５ａ内に挿入され、その軸心１３ａは、前記貫通穴を通ってケース３の底部から突出し、その突出端に設けたバネホルダ１９とケース３との間には、前記軸心１３ａをケース３から突出させるように付勢させる円錐バネ２１が設けられている。
【００１８】
前記コイル７ａは、無極性化回路を介してリード線１５ａ、１５ｂに配線接続されている。前記リード線１５ａ、１５ｂには、互いに極性の異なる電流が供給され、例えば、前記リード線１５ａは、＋極側、リード線１５ｂは、−極側である。
【００１９】
次に、この発明の実施形態の作動について説明する。
「無通電時」
永久磁石８の外側と内側がそれぞれＳ極、Ｎ極となっており、外側の極性は、ケース３と固定極４まで保磁（Ｓ極）され、内側の極性（Ｎ極）はアマチュア１３（軸心１３ａ）が保磁する。
【００２０】
この時、永久磁石８，固定極４とアマチュア１３がＳ極、Ｎ極で引き合う。そのため、アマチュア１３は固定極４に固定されるので、軸心１３ａがケース３から突出した状態を維持する（図１参照）。この自己保持型ソレノイドでは、無通電時は、アマチュア１３の軸心１３ａが吸着保持される。そして、自動閉鎖装置の防火扉は開放される。
【００２１】
「通電時」
リード線１５ａ、１５ｂに給電し、コイル７ａに印加すると、永久磁石８とは逆方向の磁界が発生し、アマチュア１３と固定極４との間の吸着力が弱まる。そうすると、アマチュア１３は、円錐バネ２１のバネ力に抗して上板１１側に摺動するので、軸心１３ａがケース３の内部に引き戻される（図２参照）。自己保持型ソレノイド１では、通電時はアマチュア１３の軸心１３ａが吸着解放される。そして、自動閉鎖装置の防火扉は閉鎖される。つまり、アマチュア１３の軸心１３ａが、コイル部の電流により往復移動する。
【００２２】
この時、前記リード線１５ａ、１５ｂの配線接続が＋極側、−極側が逆になっていても、回路基板９には、無極性化回路１０が実装されているため、電磁コイル７ａは、設計通りの磁界を発生させる。従って、従来例と異なり、配線接続の誤りがあっても、コイル部７は正常に機能し、ソレノイドを設計通りに作動させる。
【００２３】
この発明の実施形態は、上記の自己保持型ソレノイドに限定されるものではなく、例えば、自己保持型ソレノイドとして、前記第１実施形態と逆のタイプ、即ち、アマチュアが非突出状態に吸着保持され、突出状態に吸着開放されるタイプ、に本発明を適用できることは勿論である。又、本発明は、自己保持型ソレノイド以外のタイプのソレノイドにも適用することができる。
【符号の説明】
【００２４】
１      自己保持型ソレノイド
３      ケース
５      ボビン
５ａ    軸部
５ｂ    側壁
７      コイル部
７ａ    コイル
９      回路基板
１０    無極性化回路
１１    上板
１３    アマチュア
１５ａ  リード線
１５ｂ  リード線
２１    円錐バネ
【図１】
2011211006.tif 000003
【図２】
2011211006.tif 000004
【図３】
2011211006.tif 000005
【図４】
2011211006.tif 000006